(57)【要約】【課題】二段距離感知式給水方法を提供する。【解決手段】前記感知器が第一距離で前記外来物の出現を感知すると、前記感知信号はオン信号となり、前記給水口に給水を行わせる工程と、前記感知器が前記第一距離で前記外来物の消失を感知すると、前記感知信号はオフ信号となり、前記給水口に給水を終了させる工程と、前記感知器が最初に第二距離で前記外来物の出現及び消失を感知すると、前記感知信号はオン信号となり、前記給水口に給水を行わせ、前記第二距離は第一距離に等しくない工程と、前記感知器が２回目に前記第二距離で前記外来物の出現及び消失を感知すると、前記感知信号はオフ信号となり、前記給水口に給水を終了させる工程とを含む。【選択図】図１
2016050478.tif 000002
【特許請求の範囲】
【請求項１】
入水口、水道及び給水口で構成され、前記給水口は前記水道を介して前記入水口に連通されるケースと、
電子制御ユニットと、
駆動ユニットとを備え、
前記電子制御ユニットは、
前記給水口に隣接し、外来物を感知して感知信号を発信する感知器と、
前記感知器に電気的に接続し、前記感知信号を受信して制御信号を発信する制御回路とをさらに備え、
前記駆動ユニットは、
一端が前記ケース内に配置し、他端が前記水道に接続し、前記制御信号に基づいて前記給水口の給水の有無を制御し、
前記感知器が第一距離で前記外来物の出現を感知すると、前記感知信号はオン信号となり、前記給水口に給水を行わせ、
前記感知器が前記第一距離で前記外来物の消失を感知すると、前記感知信号はオフ信号となり、前記給水口に給水を終了させ、
前記感知器が最初に第二距離で前記外来物の出現及び消失を感知すると、前記感知信号はオン信号となり、前記給水口に給水を行わせ、前記第二距離は第一距離に等しくなく、
前記感知器が２回目に前記第二距離で前記外来物の出現及び消失を感知すると、前記感知信号はオフ信号となり、前記給水口に給水を終了させることを特徴とする、
二段距離感知式給水装置。
【請求項２】
前記第一距離は１０〜１５センチメートルであり、且つ前記第二距離は２〜８センチメートルであることを特徴とする、請求項１に記載の二段距離感知式給水装置。
【請求項３】
前記駆動ユニットは電磁弁であることを特徴とする、請求項１に記載の二段距離感知式給水装置。
【請求項４】
前記給水口の給水を温水、温水或いは冷水のどれかに設定するための冷／温水用ノブハンドルと、一端が前記冷／温水用ノブハンドルに接続し、他端が前記入水口に接続し、前記入水口の冷水及び温水の混合比率の制御を行うためのバルブコアとをさらに備えることを特徴とする、請求項１に記載の二段距離感知式給水装置。
【請求項５】
前記バルブコアは、前記冷／温水用ノブハンドルに機械的に接続する制御レバーと、前記制御レバーに接続し、前記入水口の冷水管及び温水管にそれぞれ対応する２つの孔部を含む絞り板とを備え、前記冷／温水用ノブハンドルが前記制御レバーを駆動して前記絞り板を回転すると、前記２つの孔部と前記入水口の冷水管及び温水管との重畳する面積の調整が行われることを特徴とする、請求項４に記載の二段距離感知式給水装置。
【請求項６】
前記二段距離感知式給水装置は感知式蛇口であることを特徴とする、請求項１に記載の二段距離感知式給水装置。
【請求項７】
前記二段距離感知式給水装置は非感知式蛇口に増設されることを特徴とする、請求項１に記載の二段距離感知式給水装置。
【請求項８】
前記給水口の給水を自動モードの温水、温水或いは冷水、手動モードの温水、温水或いは冷水、ないしは停水モードに設定するための手動、自動モード冷／温水用ノブハンドルと、一端が前記手動、自動モード冷／温水用ノブハンドルに接続し、他端が前記入水口に接続し、前記入水口の冷水及び温水の混合比率の制御に用いられるバルブコアとをさらに備えることを特徴とする、請求項１に記載の二段距離感知式給水装置。
【請求項９】
前記バルブコアは、前記手動、自動モード冷／温水用ノブハンドルに機械的に接続する制御レバーと、前記制御レバーに接続し、２つの第一孔部及び２つの第二孔部からなる絞り板とを備え、前記自動モードでは、前記２つの第一孔部は前記入水口の冷水管及び温水管にそれぞれ対応し、前記手動、自動モード冷／温水用ノブハンドルが前記制御レバーを駆動して前記絞り板を回転させると、前記自動モードで前記２つの第一孔部と前記入水口の冷水管及び温水管との重畳する面積の調整を行い、前記自動モードでは、前記２つの第二孔部が前記入水口の冷水管及び温水管にそれぞれ対応し、前記手動、自動モード冷／温水用ノブハンドルが前記制御レバーを駆動して前記絞り板を回転させると、前記手動モードで前記２つの第二孔部と前記入水口の冷水管及び温水管との重畳する面積の調整を行うことを特徴とする、請求項８に記載の二段距離感知式給水装置。
【請求項１０】
入水口、水道及び給水口でさらに構成され、前記給水口は前記水道を介して前記入水口に連通するケースと、
電子制御ユニットと、
駆動ユニットとを備え
前記電子制御ユニットは、
前記ケースに配置されると共に前記給水口に隣接し、外来物を感知して感知信号を発信する感知器と、
前記感知器に電気的に接続し、前記感知信号を受信して制御信号を発信する制御回路とを含み、
前記駆動ユニットは、
一端が前記ケース内に配置し、他端が前記水道に接続し、前記制御信号に基づいて前記給水口の給水の有無の制御を行い、
前記感知器が第一距離で前記外来物の出現を感知すると、前記感知信号はオン信号となり、前記給水口に給水を行わせ、
前記感知器が前記第一距離で前記外来物の消失を感知すると、前記感知信号はオフ信号となり、前記給水口に給水を終了させ、
前記感知器が最初に第二距離で前記外来物の出現及び消失を感知すると、前記感知信号はオン信号となり、前記給水口に給水を行わせ、前記第二距離は第一距離に等しくなく、
前記感知器が２回目に前記第二距離で前記外来物の出現及び消失を感知すると、前記感知信号はオフ信号となり、前記給水口に給水を終了させることを特徴とする、
二段距離感知式給水装置。
【請求項１１】
給水口に隣接され、外来物を感知して感知信号を発信する感知器を提供する工程と、
前記感知器が第一距離で前記外来物の出現を感知すると、前記感知信号はオン信号となり、前記給水口に給水を行わせる工程と、
前記感知器が前記第一距離で前記外来物の消失を感知すると、前記感知信号はオフ信号となり、前記給水口に給水を終了させる工程と、
前記感知器が最初に第二距離で前記外来物の出現及び消失を感知すると、前記感知信号はオン信号となり、前記給水口に給水を行わせ、前記第二距離は第一距離に等しくない工程と、
前記感知器が２回目に前記第二距離で前記外来物の出現及び消失を感知すると、前記感知信号はオフ信号となり、前記給水口に給水を終了させる工程とを含むことを特徴とする、
二段距離感知式給水方法。
【発明の詳細な説明】
【技術分野】
【０００１】
本発明は、電子制御ユニットを１つの感知器のみ備え、同時に遠距離モード及び近距離モードの感知器として使用可能な二段距離感知式給水装置に関する。
【背景技術】
【０００２】
現在よくある蛇口は、通常上方に回転式給水ハンドルが配置され、前記蛇口からの給水の制御に用いられ、使用者の手洗いにも使用される。使用時には、使用者は先ず石鹸を手に塗り、前記給水ハンドルを回転して清浄水を給水口から出し、手を洗い流して手洗いを完了する。手洗いの完了後、両手で水を溜めて前記給水ハンドルの表面を洗い流して給水ハンドルに付いた石鹸を洗い落とすことがあるが、これでは不便であるほか、水資源の浪費につながった。
【０００３】
また、上述の蛇口は非感知式（接触式）蛇口であるため、現在では感知式（非接触式）蛇口が開発され、非感知式（接触式）蛇口の不便さ及び水資源の浪費を回避している。よくある感知式（非接触式）蛇口は、使用者が給水口の下方に手をかざすと、感知式蛇口が手の出現を感知し、感知式蛇口が給水孔から水を給水する。使用者の手が前記給水口の下方から離れると、感知式蛇口は手の消失を感知し、前記給水口からの給水を停止する。
【発明の概要】
【発明が解決しようとする課題】
【０００４】
しかしながら、前述した従来の技術では、即ち、大量の水を使用して手洗いをする場合、手を給水口の下方にかざし続けねば感知式蛇口が水を給水口から給水し続けないため、大量の水を提供するには不便であった。そこで、本発明者は上記の欠点が改善可能と考え、鋭意検討を重ねた結果、合理的かつ効果的に課題を改善する本発明の提案に到った。
【０００５】
本発明は、以上の実情に鑑みなされたものであって、上記課題解決のため、本発明は、二段距離感知式給水装置を提供することを主目的とし、且つ電子制御ユニットが１つの感知器のみを備え、同時に遠距離モード及び近距離モードの感知器として使用可能である。
【課題を解決するための手段】
【０００６】
上述した課題を解決し、目的を達成するために、本発明に係る二段距離感知式給水装置は、入水口と、水道と、給水口とを含むケースを備える。前記給水口は前記水道を経由して前記入水口に連通される。電子制御ユニットは、前記ケースに配置されると共に前記給水口に隣接され、外来物を感知して感知信号を発信する感知器と、前記感知器に電気的に接続されると共に前記感知信号を受信して制御信号を発信する制御回路と、一端が前記ケース内に配置し、他端が前記水道に接続し、前記制御信号に基づいて前記給水口の給水の有無を制御するための駆動ユニットとを備える。前記感知器が第一距離で前記外来物の出現を感知すると、前記感知信号はオン信号となり、前記給水口に給水させる。前記感知器が前記第一距離で前記外来物の消失を感知すると、前記感知信号はオフ信号となり、前記給水口に給水を終了させる。前記感知器が最初に第二距離で前記外来物の出現及び消失を感知すると、前記感知信号はオン信号となり、前記給水口に給水させ、前記第二距離は第一距離に等しくない。前記感知器が２回目に前記第二距離で前記外来物の出現及び消失を感知すると、前記感知信号はオフ信号となり、前記給水口に給水を終了させる。
【発明の効果】
【０００７】
本発明に係る二段距離感知式給水装置によれば、前記電子制御ユニットは１つの感知器のみを備え、同時に遠距離モード（第一距離）及び近距離モード（第二距離、第一距離に等しくない）の感知器として使用可能である。これにより、前記電子制御ユニットは２つ以上の感知器を備えて遠距離モード及び近距離モードの感知器とする必要がなく、前記電子制御ユニットの部材数を減少させ、前記電子制御ユニットの設計を簡略化させ、二段距離感知式給水装置のコストを削減させる。
【図面の簡単な説明】
【０００８】
【図１】本発明の第１実施形態による二段距離感知式給水装置を示す平面図である。
【図２】本発明の第１実施形態による二段距離感知式給水装置のケースを示す部分の断面図である。
【図３】本発明の第１実施形態による二段距離感知式給水方法を示す遠距離モード図である。
【図４】本発明の第１実施形態による二段距離感知式給水方法を示す近距離モード図である。
【図５】本発明の第２実施形態による二段距離感知式給水装置を示す平面図である。
【図６】本発明の第２実施形態による二段距離感知式給水装置のケースを示す部分の断面図である。
【図７】本発明の第２実施形態のバルブコアの例を示す展開図である。
【図８ａ】本発明の第２実施形態の冷／温水用ノブハンドルのマークが左方向に回転する図である。
【図８ｂ】本発明の第２実施形態の冷／温水用ノブハンドルのマークが中間方向に回転する図である。
【図８ｃ】本発明の第２実施形態の冷／温水用ノブハンドルのマークが右方向に回転する図である。
【図９】本発明の第３実施形態による二段距離感知式給水装置を示す外観斜視図である。
【図１０】本発明の第３実施形態による二段距離感知式給水装置のケースを示す部分の断面図である。
【図１１】本発明の第３実施形態による二段距離感知式給水装置が従来の非感知式（タッチ式）蛇口に装設される図である。
【図１２】本発明の第４実施形態による二段距離感知式給水装置を示す平面図である。
【図１３ａ】本発明の第４実施形態による二段距離感知式給水装置のケースを示す部分の断面図である。
【図１３ｂ】本発明の第４実施形態による二段距離感知式給水装置のケースを示す部分の断面図である。
【図１４】本発明の第４実施形態のバルブコアの例を示す展開図である。
【図１５ａ】本発明の第４実施形態の手動、自動モードにより冷／温水用ノブハンドルのマークが左方向に回転する図である。
【図１５ｂ】本発明の第４実施形態の手動、自動モードにより冷／温水用ノブハンドルのマークが中間方向に回転する図である。
【図１５ｃ】本発明の第４実施形態の手動、自動モードにより冷／温水用ノブハンドルのマークが右方向に回転する図である。
【発明を実施するための形態】
【０００９】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１０】
＜第１実施形態＞
図１は本発明の第１実施形態による二段距離感知式給水装置１００を示す平面図である。図２は本発明の第１実施形態による二段距離感知式給水装置１００のケースを示す部分の断面図である。
本実施形態では、前記二段距離感知式給水装置１００は感知式（非接触式）蛇口である。前記二段距離感知式給水装置１００は、ケース１１０と、電子制御ユニット１３０と、駆動ユニット１４０とを備える。前記ケース１１０は、入水口１１２と、水道１１４と、給水口１１６とをさらに備え、前記給水口１１６は前記水道１１４を経由して前記入水口１１２に連通する（図１及び図２参照）。
【００１１】
前記電子制御ユニット１３０は、感知器１３２及び制御回路１３４を備える（図１参照）。前記感知器１３２は前記給水口１１６に隣接する。本実施形態では、前記感知器１３２は前記ケース１１０に配置される（例えば、前記ケース１１０の外に固設されるか前記ケース１１０内に嵌入される）。他の実施形態では、前記感知器１３２は前記制御回路１３４に配置され、前記ケース１１０から露出する。
前記感知器１３２は外来物（例えば、手）を感知して感知信号を発信する。前記感知器１３２は赤外線感知器或いはマイクロ波感知器である。前記制御回路１３４は前記ケース１１０内に配置され、前記感知器１３２に電気的に接続されると共に前記感知信号を受信して制御信号を発信する。例えば、前記制御回路１３４は半導体チップを含み（図示せず）、前記感知信号を受信して前記制御信号を発信する。
【００１２】
前記駆動ユニット１４０の一端は前記ケース１１０内に配置され、前記駆動ユニット１４０の他端は前記水道１１４に接続され、前記制御信号に基づいて前記給水口１１６の給水の有無を制御する（図２参照）。
前記駆動ユニット１４０は電磁弁である。電源は、例えば、乾電池（図示せず）が前記ケース１１０の下方に配置され、電力を前記電子制御ユニット１３０及び前記駆動ユニット１４０に提供する。
【００１３】
図３は本発明の第１実施形態による二段距離感知式給水方法を示す遠距離モード図である。
前記感知器１３２が第一距離Ｄ１で前記外来物の出現を感知すると、前記感知信号はオン信号となり、前記給水口１１６に給水させる。前記感知器１３２が前記第一距離Ｄ１で前記外来物の消失を感知すると、前記感知信号はオフ信号となり、前記給水口１１６に給水を終了させる。前記第一距離Ｄ１は１０〜１５センチメートルに設定される。好ましくは、前記第一距離Ｄ１は１２〜１５センチメートルに設定される。前記遠距離モードでは手洗いに適量の水を提供するが、但し外来物（例えば、手）を給水口１１６から遠い位置にかざし続けねばならない。
【００１４】
例えば、使用者が手を給水口１１６から遠い位置（即ち、前記感知器１３２の第一距離Ｄ１の位置）にかざすと、前記感知器１３２が手の出現を感知し、前記感知信号がオン信号となる。前記制御回路１３４が前記感知信号を受信して制御信号を発信する。その後、前記駆動ユニット１４０は前記制御信号に基づいて水を給水口１１６から給水させる。
使用者の手が前記給水口１１６から遠い位置（即ち、前記感知器１３２の第一距離Ｄ１の位置）から消失すると、前記感知器１３２は手の消失を感知し、前記感知信号がオフ信号となる。前記制御回路１３４が前記感知信号を受信して制御信号を発信する。その後、前記駆動ユニット１４０は前記制御信号に基づいて水の前記給水口１１６からの給水を終了させる。
【００１５】
次は、図４は本発明の第１実施形態による二段距離感知式給水方法を示す近距離モード図である。
前記感知器１３２が最初に第二距離Ｄ２で前記外来物の出現及び消失を感知すると、前記感知信号はオン信号となり、前記給水口１１６に給水させる。前記感知器１３２が２回目に前記第二距離Ｄ２で前記外来物の出現及び消失を感知すると、前記感知信号はオフ信号となり、前記給水口１１６に給水を終了させる。前記第二距離Ｄ２は２〜８センチメートルに設定される。好ましくは、前記第二距離Ｄ２は２〜３センチメートルに設定される。前記近距離モードでは給水を持続して大量の水を提供するが、但し外来物（例えば、手）を給水口１１６から近い位置にかざし続ける必要はない。
【００１６】
例えば、使用者の手が最初に給水口１１６から近い位置（即ち、前記感知器１３２の第二距離Ｄ２の位置、前記第二距離Ｄ２は前記第一距離Ｄ１より小さい）に出現及び消失すると、前記感知器１３２が最初に手の出現及び消失を感知し、前記感知信号はオン信号となる。前記制御回路１３４が前記感知信号を受信して制御信号を発信する。その後、前記駆動ユニット１４０は前記制御信号に基づいて水を給水口１１６から持続的に給水させる。
使用者の手が２回目に前記給水口１１６から近い位置（即ち、前記感知器１３２の第二距離Ｄ２の位置）に出現及び消失すると、前記感知器１３２が２回目の手の出現及び消失を感知し、前記感知信号はオフ信号となる。前記制御回路１３４は前記感知信号を受信して制御信号を発信する。その後、前記駆動ユニット１４０は前記制御信号に基づいて水の前記給水口１１６からの給水を終了させる。
【００１７】
本発明に係る二段距離感知式給水方法の遠距離モード及び近距離モードが対応する操作工程は上述のものに限定されない。他の実施形態による二段距離感知式給水方法では、遠距離モード及び近距離モードが対応する操作工程は互いに交換される。
例えば、近距離モードでは、前記感知器１３２は第二距離Ｄ２で前記外来物の出現を感知すると、前記感知信号はオン信号となり、前記給水口１１６に給水させる。前記感知器１３２が前記第二距離Ｄ２で前記外来物の消失を感知すると、前記感知信号はオフ信号となり、前記給水口１１６の給水を終了させる。前記第二距離Ｄ２は２〜８センチメートルに設定される。遠距離モードでは、前記感知器１３２が最初に第一距離Ｄ１（前記第一距離Ｄ１は前記第二距離Ｄ２より大きい）で前記外来物の出現及び消失を感知すると、前記感知信号はオン信号となり、前記給水口１１６に給水させる。前記感知器１３２が２回目に前記第一距離Ｄ１で前記外来物の出現及び消失を感知すると、前記感知信号はオフ信号となり、前記給水口１１６に給水を終了させる。前記第一距離Ｄ１は１０〜１５センチメートルに設定される。
【００１８】
本発明に係る二段距離感知式給水装置において、前記電子制御ユニットは１つの感知器のみを備え、同時に遠距離モード（第一距離）及び近距離モード（第二距離、第一距離に等しくない）の感知器として使用可能である。これにより、前記電子制御ユニットは２つ以上の感知器を備えて遠距離モード及び近距離モードの感知器とする必要がなく、前記電子制御ユニットの部材数を減少させ、前記電子制御ユニットの設計を簡略化させ、二段距離感知式給水装置のコストを削減させる。
【００１９】
＜第２実施形態＞
図５は本発明の第２実施形態による二段距離感知式給水装置２００を示す平面図である。図６は本発明の第２実施形態による二段距離感知式給水装置２００のケースを示す部分の断面図である。
本実施形態では、前記二段距離感知式給水装置２００は冷水及び温水の混合型の感知式（非接触式）蛇口である。図５及び６を参照する。前記二段距離感知式給水装置２００は、ケース２１０と、電子制御ユニット２３０と、駆動ユニット２４０とを備える。前記電子制御ユニット２３０は感知器２３２及び制御回路２３４をさらに備える。前記ケース２１０は、入水口２１２と、水道２１４と、給水口２１６とを含み、前記給水口２１６は前記水道２１４を経由して前記入水口２１２に連通する。前記入水口２１２は冷水管２２２及び温水管２２４で構成される。
【００２０】
第２実施形態に係る二段距離感知式給水装置２００は第１実施形態に係る二段距離感知式給水装置１００にほぼ類似し、類似する部材は類似する符号で標示する。
第２実施形態及び第１実施形態に係る二段距離感知式給水装置の差異は、前記二段距離感知式給水装置２００は冷／温水用ノブハンドル２５０及びバルブコア２６０をさらに備える点である（図６参照）。前記冷／温水用ノブハンドル２５０は前記給水口２１６の給水を温水、温水或いは冷水のいずれかに設定する。前記バルブコア２６０の一端は前記冷／温水用ノブハンドル２５０に接続し、前記バルブコア２６０の他端は前記入水口２１２に接続し、前記入水口２１２の冷水及び温水の混合比率の制御に用いられる。
【００２１】
前記バルブコア２６０は制御レバー２６２及び絞り板２６４を備える。前記制御レバー２６２は前記冷／温水用ノブハンドル２５０に機械的に接続する。前記絞り板２６４は前記制御レバー２６２に接続すると共に２つの孔部２６６を備え、前記入水口２１２の冷水管２２２及び温水管２２４にそれぞれ対応する。これにより、前記冷／温水用ノブハンドル２５０が前記制御レバー２６２を駆動して前記絞り板２６４を回転すると、前記２つの孔部２６６と前記入水口２１２の冷水管２２２及び温水管２２４との重畳する面積の調整が行われる。前記制御レバー２６２の下部には側孔２６８を有するキャビティ部２６７を含む。前記２つの孔部２６６が前記入水口２１２の冷水管２２２及び温水管２２４に対応して重畳する場合、前記側孔２６８も前記水道２１４に対応して重畳する（図６及び図７参照）。
【００２２】
使用者が前記冷／温水用ノブハンドル２５０のマーク２５２を左方向（図８ａ参照）、中間方向（図８ｂ参照）、右方向（図８ｃ参照）に回転すると、前記給水口２１６の給水が熱水（Ｈ）、温水（Ｗ）或いは冷水（Ｃ）に設定される。
前記給水口２１６の給水が熱水（Ｈ）、温水（Ｗ）或いは冷水（Ｃ）に設定された後、本発明に係る二段距離感知式給水方法の遠距離モードでは、適量の温水、温水或いは冷水が手洗いのために提供されるが手を給水口２１６から遠い位置にかざし続ける必要がある。本発明に係る二段距離感知式給水方法の近距離モードでは、持続的に給水し、大量の温水、温水或いは冷水が提供されるが、但し手を給水口２１６から近い位置にかざし続ける必要はない。
【００２３】
＜第３実施形態＞
図９は本発明の第３実施形態による二段距離感知式給水装置３００を示す外観斜視図である。図１０は本発明の第３実施形態による二段距離感知式給水装置３００のケースを示す部分の断面図である。
図９及び図１０によれば、前記二段距離感知式給水装置３００は、ケース３１０と、電子制御ユニット３３０と、駆動ユニット３４０とを備える。前記電子制御ユニット３３０は感知器３３２及び制御回路３３４を含む。前記ケース３１０は入水口３１２と、水道及３１４と、給水口３１６とをさらに備え、前記給水口３１６は前記水道３１４を経由して前記入水口３１２に連通する。
【００２４】
第３実施形態による二段距離感知式給水装置３００は第１実施形態に係る二段距離感知式給水装置１００に大方類似し、類似する部材は類似する符号で標示する。第３実施形態及び第１実施形態に係る二段距離感知式給水装置の差異は、前記二段距離感知式給水装置３００が従来の非感知式（接触式）蛇口３０２に増設される点である（図１１参照）。前記二段距離感知式給水装置３００の入水口３１２は前記非感知式蛇口３０２の給水口３０４に連通する。
【００２５】
使用者が前記二段距離感知式給水装置を従来の的非感知式（接触式）蛇口に自分で増設した後、本発明に係る二段距離感知式給水方法の遠距離モードでは、手洗いに適量の水が提供されるが、手を給水口３１６から遠い位置にかざし続ける必要がある。本発明に係る二段距離感知式給水方法の近距離モードでは、持続的に給水が行われ、大量の水が提供されるが、但し手を給水口３１６から近い位置にかざし続ける必要はない。
【００２６】
＜第４実施形態＞
図１２は本発明の第４実施形態による二段距離感知式給水装置４００を示す平面図である。図１３ａ及び図１３ｂは本発明の第４実施形態による二段距離感知式給水装置４００のケースを示す部分の断面図である。
本実施形態では、前記二段距離感知式給水装置４００は、手動、自動モードの冷水及び温水の混合型の感知式（非接触式）蛇口である。前記二段距離感知式給水装置４００は、ケース４１０と、電子制御ユニット４３０と、駆動ユニット４４０とを備える。前記電子制御ユニット４３０は感知器４３２及び制御回路４３４を含む。前記ケース４１０は入水口４１２と、２つの水道４１４ａと、水道４１４ｂと、給水口４１６とを備え、前記給水口４１６は前記水道２１４ａ或いは前記水道４１４ｂを経由して前記入水口４１２に連通する。前記入水口４１２は冷水管４２２及び温水管４２４で構成される（図１２、図１３ａ及び図１３ｂ参照）。
【００２７】
なお、第４実施形態による二段距離感知式給水装置４００は第１実施形態に係る二段距離感知式給水装置１００に概ね類似し、類似する部材は類似する符号で標示する。
第４実施形態及び第１実施形態に係る二段距離感知式給水装置の差異は、前記二段距離感知式給水装置４００は、図１３ａ及び１３ｂに示すように、手動、自動モード冷／温水用ノブハンドル４５０及びバルブコア４６０をさらに備える点である。前記手動、自動モード冷／温水用ノブハンドル４５０は前記給水口４１６の給水を自動モードの温水、温水或いは冷水、もしくは手動モードの温水、温水或いは冷水、ないしは停水モードのいずれかに設定するのに使用される。前記バルブコア４６０の一端は前記手動、自動モード冷／温水用ノブハンドル４５０に接続し、前記バルブコア４６０の他端は前記入水口４１２に接続し、前記入水口４１２の冷水及び温水の混合比率の制御に用いられる。
【００２８】
また、前記バルブコア４６０は制御レバー４６２及び絞り板４６４を備える。前記制御レバー４６２は前記手動、自動モード冷／温水用ノブハンドル４５０に機械的に接続する。前記絞り板４６４は前記制御レバー４６２に接続すると共に２つの孔部４６６ａ及び２つの孔部４６６ｂを含み、前記２つの孔部４６６ａ或いは前記２つの孔部４６６ｂは前記入水口２１２の冷水管２２２及び温水管２２４にそれぞれ対応し、これにより前記手動、自動モード冷／温水用ノブハンドル４５０が前記制御レバー４６２を駆動して前記絞り板４６４を回転すると、自動モードで前記２つの孔部４６６ａと前記入水口４１２の冷水管４２２及び温水管４２４との重畳する面積の調整を行う。或いは、手動モードで前記２つの孔部４６６ｂと前記入水口４１２の冷水管４２２及び温水管４２４との重畳する面積の調整を行う。
前記制御レバー４６２の下部には側孔４６８を有するキャビティ部４６７を含む（図１４、図１３ａ及び図１３ｂ参照）。自動モードでは、前記２つの孔部４６６ａが前記入水口４１２の冷水管２２２及び温水管４２４に対応して重畳する場合、前記側孔４６８も前記水道４１４ａに対応して重畳する（図１３ａ参照）。この際、給水は順に前記入水口４１２、前記バルブコア４６０、水道４１４ａ、前記駆動ユニット４４０及び前記給水口４１６を経由する。
或いは、手動モードでは、前記２つの孔部４６６ｂが前記入水口４１２の冷水管４２２及び温水管４２４に対応して重畳する場合、前記側孔４６８も前記水道４１４ｂに対応して重畳する（図１３ｂ参照）。この際、給水は順に前記入水口４１２、前記バルブコア４６０、水道４１４ｂ及び前記給水口４１６を経由する。もしくは、停水モードでは、前記２つの孔部４６６ａ或いは前記２つの孔部４６６ｂが共に前記入水口４１２の冷水管４２２及び温水管４２４に対応せずに重畳せず、前記側孔４６８も前記水道４１４ａ或いは前記水道４１４ｂに対応せずに重畳しない（図示せず）。
【００２９】
使用者が前記手動、自動モード冷／温水用ノブハンドル４５０のマーク４５２を左方向に回転すると（図１５ａ参照）、前記給水口４１６が自動モード（Ａ  ｍｏｄｅ）の熱水（Ｈ）、温水（Ｗ）或いは冷水（Ｃ）に設定される。前記給水口４１６の給水が熱水（Ｈ）、温水（Ｗ）或いは冷水（Ｃ）に設定された後、本発明に係る二段距離感知式給水方法の遠距離モードでは、適量の温水、温水或いは冷水が手洗いのために提供されるが、手を給水口４１６から遠い位置にかざし続ける必要がある。本発明に係る二段距離感知式給水方法の近距離モードでは、持続的に給水が行われ、大量の温水、温水或いは冷水が提供されるが、手を給水口４１６から近い位置にかざし続ける必要はない。
【００３０】
使用者が前記手動、自動モード冷／温水用ノブハンドル４５０のマーク４５２を中間方向に回転すると（図１５ｂ参照）、前記給水口４１６が停水モード（Ｓ  ｍｏｄｅ）に設定される。
【００３１】
なお、使用者が前記手動、自動モード冷／温水用ノブハンドル４５０のマーク４５２を右方向に回転すると（図１３ｃ参照）、前記給水口４１６が手動モード（Ｍ  ｍｏｄｅ）の熱水（Ｈ）、温水（Ｗ）或いは冷水（Ｃ）に設定される。
【００３２】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３３】
１００  感知式給水装置
１１０  ケース
１１２  入水口
１１４  水道
１１６  給水口
１３０  電子制御ユニット
１３２  感知器
１３４  制御回路
１４０  駆動ユニット
２００  感知式給水装置
２１０  ケース
２１２  入水口
２１４  水道
２１６  給水口
２２２  冷水管
２２４  温水管
２３０  電子制御ユニット
２３２  感知器
２３４  制御回路
２４０  駆動ユニット
２５０  冷／温水用ノブハンドル
２５２  マーク
２６０  バルブコア
２６２  制御レバー
２６４  絞り板
２６６  孔部
３００  感知式給水装置
３０２  非感知式蛇口
３０４  給水口
３１０  ケース
３１２  入水口
３１４  水道
３１６  給水口
３３０  電子制御ユニット
３３２  感知器
３３４  制御回路
３４０  駆動ユニット
Ｄ１  第一距離
Ｄ２  第二距離
【図１】
2016050478.tif 000003
【図２】
2016050478.tif 000004
【図３】
2016050478.tif 000005
【図４】
2016050478.tif 000006
【図５】
2016050478.tif 000007
【図６】
2016050478.tif 000008
【図７】
2016050478.tif 000009
【図８ａ】
2016050478.tif 000010
【図８ｂ】
2016050478.tif 000011
【図８ｃ】
2016050478.tif 000012
【図９】
2016050478.tif 000013
【図１０】
2016050478.tif 000014
【図１１】
2016050478.tif 000015
【図１２】
2016050478.tif 000016
【図１３ａ】
2016050478.tif 000017
【図１３ｂ】
2016050478.tif 000018
【図１４】
2016050478.tif 000019
【図１５ａ】
2016050478.tif 000020
【図１５ｂ】
2016050478.tif 000021
【図１５ｃ】
2016050478.tif 000022